(57)【要約】【課題】視認性及び操作性を良好に保つことができる画像形成装置を提供する。【解決手段】画像を読み取る読取部と記録媒体に画像形成を行う画像形成部とが外装部材の内部に収容された画像形成装置であって、読取部の前面側に操作者による操作を受け付けると共に利用者に画像を表示する操作表示部を備え、操作表示部は、その前面側を回転中心として画像形成装置の上方へ向いた位置と前面側へ向いた位置との間で回転可能に設けられ、正面視で操作表示部の背景となる外装部材の外表面が操作表示部の外表面と同系色に着色されている。【選択図】図６
2018061182.tif 000002
【特許請求の範囲】
【請求項１】
画像を読み取る読取部と記録媒体に画像形成を行う画像形成部とが外装部材の内部に収容された画像形成装置であって、
前記読取部の前面側に操作者による操作を受け付けると共に利用者に画像を表示する操作表示部を備え、
前記操作表示部は、その前面側を回転中心として前記画像形成装置の上方へ向いた位置と前記前面側へ向いた位置との間で回転可能に設けられ、
正面視で前記操作表示部の背景となる前記外装部材の外表面が前記操作表示部の外表面と同系色に着色されている、
ことを特徴とする画像形成装置。
【請求項２】
前記着色された外表面は、前記外装部材の他の部分における外表面に比べて暗い色で着色されている、
ことを特徴とする請求項１に記載の画像形成装置。
【請求項３】
前記着色された外表面は、前記外装部材の他の部分における外表面に比べてマンセル値における明度差が５．５以上となるように、マンセル値における明度２．８以下の色で着色されている、
ことを特徴とする請求項２に記載の画像形成装置。
【請求項４】
前記着色された外表面は、前記操作表示部の外表面に比べてマンセル値における明度差が１．２以下となるように、マンセル値における明度２．８以下の色で着色されている、
ことを特徴とする請求項１に記載の画像形成装置。
【請求項５】
前記外装部材の縁部は、正面視で前記着色された外表面を囲むように前記外表面の色とは異なる白色又は淡色で形成された明色にされている、
ことを特徴とする請求項１に記載の画像形成装置。
【請求項６】
前記縁部は、前記着色された外表面に比べてマンセル値における明度差が５．５以上となるように、マンセル値における明度８．３以上の色にされている、
ことを特徴とする請求項５に記載の画像形成装置。
【請求項７】
前記外装部材の他の部分は、前記読取部及び前記画像形成部の内部を開放する開閉カバーを含む、
ことを特徴とする請求項２又は３に記載の画像形成装置。
【発明の詳細な説明】
【技術分野】
【０００１】
本発明は、画像形成装置に関する。
【背景技術】
【０００２】
プリンターとプリンターの上に配置されるイメージスキャナーとを有した胴内排紙型の画像形成装置であって、イメージスキャナーの下に少なくとも前方に開放された胴内排紙空間を形成するようにイメージスキャナーの左右方向の片側を支持し、イメージスキャナーの前方へ張り出す支柱部と、支柱部の前側の上端部位に取り付けられ、操作面が前方に向く状態における下端側に位置する左右方向に沿う軸を中心として回転する、操作面の傾き角度の変更が可能な操作パネルと、を備える画像形成装置が知られている（特許文献１）。
【０００３】
被支持物を第１の方向に回動可能なように支持する第１の支持部材と、被支持物を、第１の方向と直交する第２の方向に回動可能なように支持する第２の支持部材とを備え、第２の支持部材は、被支持物を保持するための第１および第２の保持部材と、２枚の平行な測板部を有する筐体と、筐体の一方の測板部の外側と第１の保持部材との間に形成され、筐体の一方の測板部と第１の保持部材とを回動可能なように接続する第１の傾動軸と、筐体の他方の測板部の外側と前記第２の保持部材との間に形成されるとともに第１の傾動軸と同一軸上に構成され、筐体の他方の測板部と第２の保持部材とを回動可能なように接続する第２の傾動軸と、を有する回動支持機構も知られている（特許文献２）
【先行技術文献】
【特許文献】
【０００４】
【特許文献１】特開２０１３−３８６９０号公報
【特許文献２】特開２０１５−１５２０１９号公報
【発明の概要】
【発明が解決しようとする課題】
【０００５】
本発明は、視認性及び操作性を良好に保つことができる画像形成装置を提供することを目的とする。
【課題を解決するための手段】
【０００６】
前記課題を解決するために、請求項１に記載の画像形成装置は、
画像を読み取る読取部と記録媒体に画像形成を行う画像形成部とが外装部材の内部に収容された画像形成装置であって、
前記読取部の前面側に操作者による操作を受け付けると共に利用者に画像を表示する操作表示部を備え、
前記操作表示部は、その前面側を回転中心として前記画像形成装置の上方へ向いた位置と前記前面側へ向いた位置との間で回転可能に設けられ、
正面視で前記操作表示部の背景となる前記外装部材の外表面が前記操作表示部の外表面と同系色に着色されている、
ことを特徴とする。
【０００７】
請求項２記載の発明は、請求項１に記載の画像形成装置において、
前記着色された外表面は、前記外装部材の他の部分における外表面に比べて暗い色で着色されている、
ことを特徴とする。
【０００８】
請求項３記載の発明は、請求項２に記載の画像形成装置において、
前記着色された外表面は、前記外装部材の他の部分における外表面に比べてマンセル値における明度差が５．５以上となるように、マンセル値における明度２．８以下の色で着色されている、
ことを特徴とする。
【０００９】
請求項４記載の発明は、請求項１に記載の画像形成装置において、
前記着色された外表面は、前記操作表示部の外表面に比べてマンセル値における明度差が１．２以下となるように、マンセル値における明度２．８以下の色で着色されている、
ことを特徴とする。
【００１０】
請求項５記載の発明は、請求項１項に記載の画像形成装置において、
前記外装部材の縁部は、正面視で前記着色された外表面を囲むように前記外表面の色とは異なる白色又は淡色で形成された明色にされている、
ことを特徴とする。
【００１１】
請求項６記載の発明は、請求項５に記載の画像形成装置において、
前記縁部は、前記着色された外表面に比べてマンセル値における明度差が５．５以上となるように、マンセル値における明度８．３以上の色にされている、
ことを特徴とする。
【００１２】
請求項７記載の発明は、請求項２又は３に記載の画像形成装置において、
前記外装部材の他の部分は、前記読取部及び前記画像形成部の内部を開放する開閉カバーを含む、
ことを特徴とする。
【発明の効果】
【００１３】
請求項１に記載の発明によれば、正面視で操作表示部の背景となる外装部材の外表面が操作表示部の外表面と同系色に着色されていない構成に比して、操作表示部の操作者の操作意識を向上させ、操作表示部の視認性及び操作性を良好に保つことができる。
【００１４】
請求項２に記載の発明によれば、正面視で操作表示部の背景となる外装部材の外表面が、外装部材の他の部分における外表面に比して暗い色で着色されていない構成に比して、操作頻度の高い操作表示領域を明確にして、操作表示部の視認性及び操作性をより良好に保つことができることができる。
【００１５】
請求項３に記載の発明によれば、正面視で操作表示部の背景となる外装部材の外表面と外装部材の他の部分における外表面との明度差を大きくして、操作表示部の視認性を向上させることができる。
【００１６】
請求項４に記載の発明によれば、正面視で操作表示部の背景となる外装部材の外表面と操作表示部の外表面との明度差を小さくして、操作表示部の操作性をより良好に保つことができることができる。
【００１７】
請求項５、６に記載の発明によれば、画像形成装置の美観を向上させるとともに、操作者の操作意識を向上させることができる。
請求項７に記載の発明によれば、操作頻度の高い操作表示領域と操作頻度の低いメインテナンス領域との区別を明確にして、操作表示部の視認性及び操作性をより良好に保つことができる。
【図面の簡単な説明】
【００１８】
【図１】画像形成装置の全体を示す斜視図である。
【図２】画像形成装置の内部構造を示す断面模式図である。
【図３】（ａ）は畳まれた状態を操作表示側から示す操作表示部の斜視図、（ｂ）は起立した状態を背面側から示す斜視図である。
【図４】操作表示部の操作表示面を中心に４方向から示す図である。
【図５】（ａ）は操作表示部が畳まれた状態の画像形成装置の正面図、（ｂ）は操作表示部が畳まれた状態の画像形成装置の側面図である。
【図６】操作表示部が起立した状態の画像形成装置の斜視図である。
【図７】（ａ）は操作表示部が起立した状態の画像形成装置の正面図、（ｂ）は操作表示部が起立した状態の画像形成装置の側面図である。
【図８】外装部材の縁部を形成する厚み部を示す画像形成装置の斜視図である。
【図９】外装部材の縁部を形成する厚み部を示す画像形成装置の正面図である。
【発明を実施するための形態】
【００１９】
次に図面を参照しながら、以下に実施形態を挙げ、本発明を更に詳細に説明するが、本発明はこれらの実施形態に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２０】
（１）画像形成装置の構成
図１は本実施形態に係る画像形成装置１の全体を示す斜視図、図２は本実施形態に係る画像形成装置１の内部構造を示す断面模式図である。
以下、図面を参照しながら、画像形成装置１の全体構成を説明する。
【００２１】
画像形成装置１は、電子写真方式によって画像を形成する画像形成部１０と、画像形成部１０の上方に支持部４０によって支持され原稿等の読み取りを行う読取部２０と、ユーザーインターフェイスとしての操作表示部３０と、を有して構成されている。
画像形成部１０と読取部２０との間には胴内空間Ｓが形成され排出ローラ対１６３（図２参照）から排出される用紙Ｐを積載する排紙トレイ部Ｔが形成されている。
【００２２】
画像形成部１０は、筐体Ｆ（不図示）が形成する内部空間に、制御装置１１、給紙装置１２、感光体ユニット１３、現像装置１４、転写装置１５、定着装置１６が配置され、筐体Ｆ（不図示）は分割された複数の外装部材１００（図１に図示）で覆われて構成されている。
【００２３】
画像形成部１０の底部には、用紙Ｐが積載された給紙装置１２が設けられ、規制板（不図示）で幅方向位置が決められた用紙Ｐは、上側から１枚ずつ用紙引き出し部１２１により後方に引き出された後、レジストローラ対１２２のニップ部まで搬送される。
【００２４】
感光体ユニット１３は、給紙装置１２の上方に、それぞれが並列して設けられ、回転駆動する感光体ドラム１３１を備えている。それぞれの感光体ドラム１３１上にはそれぞれの現像装置１４によってイエロー（Ｙ）、マゼンタ（Ｍ）、シアン（Ｃ）、黒（Ｋ）のトナー像が形成される。
【００２５】
各感光体ユニット１３の感光体ドラム１３１に形成された各色トナー像は、転写装置１５の中間転写ベルト１５１上に順次静電転写（一次転写）され、各色トナーが重畳された重畳トナー像が形成される。中間転写ベルト１５１上の重畳トナー像は、レジストローラ対１２２から送り出され、搬送ガイドにより案内された用紙Ｐに二次転写ローラ１５２によって一括転写される。
【００２６】
転写装置１５においてトナー像が一括転写された用紙Ｐは、トナー像が未定着の状態で定着装置１６に搬送され、一対の加熱モジュール１６１と加圧モジュール１６２により、加熱と圧着の作用でトナー像が定着される。
定着トナー像が形成された用紙Ｐは、搬送ガイドによってガイドされ、排出ローラ対１６３から胴内空間Ｓの排紙トレイ部Ｔに排出・収容される。
【００２７】
読取部２０は、原稿積載部２１と、自動原稿送り部２２と、画像読取部２３とを備えている。原稿積載部２１には、画像が記録された原稿が置かれる原稿トレイ２１１が開閉可能に設けられている。
自動原稿送り部２２は、原稿トレイ２１１上に積載された原稿を上から順に取り出して一枚ずつ画像読取部２３に搬送する。画像読取部２３では、自動原稿送り部２２から搬送される原稿Ｇの画像を光学的に読み取って電気信号である画像データに変換される。
画像読取部２３で画像を読み取られた原稿Ｇは、原稿積載部２１の下方に形成された排紙部２４に排出される。
【００２８】
操作表示部３０は、液晶表示パネル、各種操作ボタン、タッチパネル等を組み合わせて構成され、画像形成装置１の利用者は、操作表示部３０を介して各種の設定や指示の入力を行う。また、液晶表示パネルを介して画像形成装置１の操作者へ各種情報を表示する。
【００２９】
操作表示部３０は、図２に示すように、読取部２０の前面側（操作者側）に、操作表示部３０の前面側に設けられた回転軸３２１を回転中心として、画像形成装置１の上方へ向いた位置と前面側へ向いた位置との間で回転し（図２中  矢印参照）、操作者が上方及び前面側のいずれの方向からも操作及び視認できるチルト機構を有している。
【００３０】
（２）画像形成装置の外装構成
図３（ａ）は畳まれた状態を操作表示側から示す操作表示部３０の斜視図、（ｂ）は起立した状態を背面側から示す斜視図、図４は操作表示部３０の操作表示面を中心に４方向から示す図、図５（ａ）は操作表示部３０が畳まれた状態の画像形成装置１の正面図、（ｂ）は操作表示部３０が畳まれた状態の画像形成装置１の側面図、図６は操作表示部３０が起立した状態の画像形成装置１の斜視図、図７（ａ）は操作表示部３０が起立した状態の画像形成装置１の正面図、（ｂ）は操作表示部３０が起立した状態の画像形成装置１の側面図、図８は外装部材１００の縁部を形成する厚み部を示す画像形成装置１の斜視図、図９は外装部材１００の縁部を形成する厚み部を示す画像形成装置１の正面図である。
【００３１】
（２．１）操作表示部の構成
図３に示すように、操作表示部３０は、本体ハウジング３１、支持機構３２、表示部３３、操作部３４、操作部３５、発光部３６、カバー部材３７を含むように構成されている。
【００３２】
表示部３３は、液晶ディスプレイ等の表示部にタッチパネルが重合配置されたタッチパネルディスプレイであり、操作画面を表示するとともに、操作者からタッチパネルへの選択操作を受け付ける。
ここで、選択操作は、操作画面上に表示された項目を操作画面上で選択する動作いい、操作者の指や、タッチペン等を操作画面に接触させて行う操作、及び操作者の指等を操作画面に近接させて非接触で行う動作を含む。
【００３３】
操作部３４、操作部３５は、操作キー３４Ａ、操作キー３５Ａで構成され、操作者の押下操作を受け付けて画像形成装置１に処理の実行を指示する。
【００３４】
発光部３６（図３に破線で図示）は、操作表示部３０の外装を構成するカバー部材３７の一部に形成され、画像形成装置１の状態を表示するために、予め定められた色で発光する。
尚、発光部３６は、裏面がブラックアウトされ、発光源としてのＬＥＤ（不図示）が非点灯状態では、操作者には視認されない（図３においては破線で図示）。
【００３５】
支持機構３２は、回転軸３２１とヒンジ３２２からなり、本体ハウジング３１を画像形成装置１に対して回転可能に支持している。支持機構３２は、画像形成装置１の前面側に位置して、操作表示部３０は起立した状態で画像形成装置１の前面から突出せず、チルト機構を有する操作表示部３０を備えた画像形成装置１の占有奥行き寸法の増大化を回避している（図２参照）。
【００３６】
本体ハウジング３１は、図４に示すように、カバー部材３７に対して、その３方向のいずれも指かかりとしての段差部３１ａを有している。これにより、操作表示部３０が上方を向くように畳まれた通常位置にあっても、操作者は３方向のいずれかの方向から段差部３１ａに指をかけて回転操作を行うことができる。
【００３７】
（２．２）外装部材の構成
図５、図６、図７に示すように、画像形成装置１は複数の外装部材１００に覆われ、外装部材１００の内部に画像形成部１０が収容されている。また、読取部２０も複数の外装部材１００に覆われ、画像形成部１０上で読取部２０を支持する支持部４０も複数の外装部材１００で覆われている。
【００３８】
画像形成部１０を覆う外装部材１００は、内部に手差し給紙装置１２Ａ（図２参照）の用紙トレイ（不図示）を有し手差し給紙を行う場合に開放される前カバー１１０Ａ、トナーカートリッジ（図２参照）の着脱を行うために開閉される前カバー１１０Ｂ、用紙Ｐのジャム処理を行う場合に開閉される右開閉カバー１２０、制御装置１１に対して基板やメモリ等の電子部品を接続する場合に開閉される左開閉カバー１３０、画像形成部１０の両側面を覆う右サイドカバー１４０Ａ及び左サイドカバー１４０Ｂ、排紙トレイ部Ｔが形成された上面カバー１５０で構成されている。
これら開閉カバーは利用者から外観視される外表面の一部を形成して、白色又は淡色で形成された明色にされている。
【００３９】
読取部２０は、自動原稿送り部２２が、原稿のジャム処理を行う場合に開閉される上開閉カバー１６０、排紙部２４と一体に形成された前カバー１７０Ａ及び後カバー１７０Ｂで構成される外装部材１００で覆われている。
また、画像読取部２３は、操作表示部３０に面する前カバー１８０、画像読取部２３の両側面を覆う右サイドカバー１９０Ａ及び左サイドカバー１９０Ｂで構成される外装部材１００で覆われている。
上開閉カバー１６０、後カバー１７０Ｂは利用者から外観視される外表面の一部を形成して、白色又は淡色で形成された明色にされている。
【００４０】
支持部４０は、両外側が画像形成部１０の両側面を覆う右サイドカバー１４０Ａ及び左サイドカバー１４０Ｂで一体的に覆われ、前方及び内側が画像形成部１０の上面を覆う上面カバー１５０で一体的に覆われている。
【００４１】
このように構成される外装部材１００で覆われた画像形成装置１の前面側には、操作表示部３０が畳まれて画像形成装置１の上方を向く通常位置と前方を向く起立位置との間で回転自在に設けられ、多様な操作者が視認し、操作可能な態様で設置されている。
【００４２】
操作表示部３０を視認し、操作する操作者においては、操作表示部３０と重なって視認される操作表示部３０の背面側に存在する外装部材１００の外表面のうち、カバー部材３の外側の領域は操作者から外観視される操作表示部３０の背景部分となる。
【００４３】
具体的には、操作表示部３０が画像形成装置１の上方を向く通常位置に位置する場合には、画像形成部１０の上面を覆う上面カバー１５０及び画像読取部２３の操作情報部３０に面する前カバー１８０が操作表示部３０の背景部分となる。
操作表示部３０が画像形成装置１の前方を向く起立位置に位置する場合には、画像形成部１０の上面を覆う上面カバー１５０の一部、画像読取部２３の操作表示部３０に面する前カバー１８０、自動原稿送り部２２の排紙部２４と一体に形成された前カバー１７０Ａが操作表示部３０の背景部分となる。
【００４４】
このような操作表示部３０において、表示部３３における表示内容を確認したり、操作をする場合に、操作表示部３０の背景部分が表示部３３を他の部分と区画しているカバー部材３７と色が全く異なり、大きな明度差がある場合には、操作者が意識を集中しにくい虞があった。
【００４５】
本実施形態における画像形成装置１においては、正面視で操作表示部３０の背景となる読取部２０の外表面及び画像形成部１０の外表面が操作表示部３０の外表面と同系色に着色されている。
【００４６】
具体的には、画像形成部１０の上面を覆う上面カバー１５０、画像読取部２３の操作表示部３０に面する前カバー１８０、自動原稿送り部２２の排紙部２４と一体に形成された前カバー１７０Ａの外表面が操作表示部３０の外表面に比べてマンセル値（ＪＩＳ  Ｚ  ８７２１）における明度差が１．２以下となるように、マンセル値における明度２．８以下の色で着色されている。
そのために、図６に示すように、操作表示部３０を通常位置から起立位置へ起こした状態であっても、操作表示部３０全体が同系色に着色された外装部材１００の外表面と同化することで、操作表示部３０の操作者の操作意識を向上させ、操作表示部３０の視認性及び操作性を良好に保つことができる。
【００４７】
そして、図４、図５、図６において網点で示すように、正面視で操作表示部３０の背景となる読取部２０の外表面及び画像形成部１０の外表面は、外装部材１００の他の部分における外表面に比べて暗い色で着色されている。
【００４８】
具体的には、画像形成部１０の上面を覆う上面カバー１５０、画像読取部２３の操作表示部３０に面する前カバー１８０、自動原稿送り部２２の排紙部２４と一体に形成された前カバー１７０Ａの外表面が、外装部材１００の他の部分における外表面に比べてマンセル値における明度差が５．５以上となるように、マンセル値における明度２．８以下の色（ダークグレー、ダークブルー等）で着色されている。
【００４９】
これにより、画像形成装置１において、操作表示部３０を介した操作頻度の高い通常の操作領域と、用紙の補給、トナーカートリッジの交換、ジャム処理、電子部品の接続等の操作頻度の低いメインテナンス領域とを明確に区分して、操作表示部３０の視認性及び操作性をより良好に保つことができることができる。
【００５０】
また、排紙トレイ部Ｔが形成された上面カバー１５０及び自動原稿送り部２２の排紙部２４がマンセル値における明度２．８以下の暗い色で着色されているために、マンセル値としては明度が高い用紙が視認されやすい。
これにより、画像読取部２３の原稿台に原稿を載置する際に、原稿台に対して原稿が認識されやすく、また、自動原稿送り部２２で送り出されて排紙部２４上に排出された原稿の取り忘れを防止できるという効果を有している。
【００５１】
（２．３）外装部材による収容構造
図８、図９に示すように、外装部材１００の縁部を形成する厚み部が利用者から外観視される外表面の一部を形成して、正面視で操作表示部３０の背景となる読取部２０の外表面及び画像形成部１０の外表面を囲むように、着色された外表面の色とは異なる白色又は淡色で形成された明色にされている。
【００５２】
具体的には、読取部２０の上開閉カバー１６０の厚み部１６０ａ、画像読取部２３の右サイドカバー１９０Ａ及び左サイドカバー１９０Ｂの厚み部１９０Ａａ、１９０Ｂａ、排紙部２４の右側カバーの厚み部２４ａ、画像形成部１０の両側面を覆う右サイドカバー１４０Ａ及び左サイドカバー１４０Ｂの厚み部１４０Ａａ、１４０Ｂａ、前カバー１１０Ｂの厚み部１１０Ｂａは、操作表示部３０の背景となる読取部２０の外表面及び画像形成部１０の外表面に比べてマンセル値における明度差が５．５以上となるように、マンセル値における明度８．３以上の色にされている。
これにより、画像形成装置１を構成する画像形成部１０と読取部２０が一体的に明度差の大きな縁部で囲まれるため、外装部材１００にシステムとして一体的に収容された印象を与えて、利用者は操作に意識を集中することができる。
【符号の説明】
【００５３】
１・・・画像形成装置
１０・・・画像形成部
２０・・・読取部
３０・・・操作表示部
３３・・・表示部
３４、３５・・・操作部
３６・・・発光部
３７・・・カバー部材
１００・・・外装部材  
１１０Ａ、１１０Ｂ・・・前カバー
１２０・・・右開閉カバー
１３０・・・左開閉カバー
１４０Ａ・・・右サイドカバー
１４０Ｂ・・・左サイドカバー
１５０・・・上面カバー
１６０・・・上開閉カバー
１７０Ａ・・・前カバー
１７０Ｂ・・・後カバー
１８０・・・前カバー
１９０Ａ・・・右サイドカバー
１９０Ｂ・・・左サイドカバー
Ｔ・・・排紙トレイ部
【図１】
2018061182.tif 000003
【図２】
2018061182.tif 000004
【図３】
2018061182.tif 000005
【図４】
2018061182.tif 000006
【図５】
2018061182.tif 000007
【図６】
2018061182.tif 000008
【図７】
2018061182.tif 000009
【図８】
2018061182.tif 000010
【図９】
2018061182.tif 000011